(57)【要約】【課題】  触媒コンバータから金属触媒を含む粉体を回収する金属触媒の破壊回収装置及びその使用方法の提供。【解決手段】  少なくとも金属触媒を担持した担体（金属担体７ａ）を金属製の筒７ｃに内装した触媒コンバータ７ｂからなる被処理体６を投入する容器１ａと、容器１ａ内で回転し、被処理体６を自重で落下する大きさに衝撃破壊すると共に、被処理体６から金属触媒を含む粉体３０を分離する衝撃羽１ｎと、分離された粉体３０を前記容器内でより高く上方へ浮遊させる浮遊手段と、容器１ａ内に浮遊する粉体３０を吸引して回収する集塵機２と、前記容器１ａ内に投入される触媒コンバータ７ｂの筒７ｃに予め切欠部１５を形成する切欠手段１４を備えることとした。【選択図】        図１
2006007037.tif 000002
【特許請求の範囲】
【請求項１】
少なくとも金属触媒を担持した担体を金属製の筒に内装した触媒コンバータからなる被処理体を投入する容器と、
前記容器内で回転し、前記触媒コンバータを自重で落下する大きさに衝撃破壊すると共に、前記触媒コンバータから金属触媒を含む粉体を分離する衝撃羽と、
前記粉体を前記容器内でより高く上方へ浮遊させる浮遊手段と、
前記容器内に浮遊する粉体を吸引口から吸引して回収する集塵機と、
前記容器内に投入される触媒コンバータの筒に予め切欠部を形成する切欠手段を備えることを特徴とする金属触媒の破壊回収装置。
【請求項２】
少なくとも金属触媒を担持した担体を金属製の筒に内装した触媒コンバータを投入する容器と、
前記容器内で回転し、前記触媒コンバータを自重で落下する大きさに衝撃破壊すると共に、前記触媒コンバータから金属触媒を含む粉体を分離する衝撃羽と、
前記粉体を前記容器内でより高く上方へ浮遊させる浮遊手段と、
前記容器内に浮遊する粉体を吸引口から吸引して回収する集塵機を備えた金属触媒の破壊回収装置の使用方法であって、
前記触媒コンバータの筒は容器に投入される前に予め切欠部が形成されることを特徴とする金属触媒の破壊回収装置の使用方法。
【発明の詳細な説明】
【技術分野】
【０００１】
本発明は、金属触媒を担持した担体または該担体を金属製の筒に内装した触媒コンバータからなる触媒コンバータから金属触媒を含む粉体を回収する金属触媒の破壊回収装置及びその使用方法に関する。
【背景技術】
【０００２】
従来、自動車などの内燃機関の排気ガスの浄化を目的としてマフラーの中途部分に触媒コンバータを介装している。
前記触媒コンバータは、金属触媒を担持した金属担体を金属製の筒に接合して内装した構造になっており、該金属触媒には通常、貴金属である白金系触媒が使用され、これら白金系触媒は高価かつ希少であるため回収してリサイクルすることが望ましい。
そこで、前記金属担体または触媒コンバータなどの触媒コンバータから金属触媒を回収する技術が公知となっている（特許文献１参照）。
【特許文献１】特開平６−２０５９９３号公報
【発明の開示】
【発明が解決しようとする課題】
【０００３】
しかしながら、従来の発明においては、衝撃式粉砕機で粉砕されて回収される粉砕物の中に、触媒コンバータの筒、金属担体、金属触媒が混在した状態となって分離していないため、衝撃式粉砕機の下流側にラジアル送風機、サイクロン分離機を配置して金属触媒を含む粉砕物と、金属担体や筒のように金属触媒を含まない粉砕物に分離しなければならず、装置が大型化する上、コストや手間が大変かかるという問題点があった。
【０００４】
本発明は上記問題点に着目してなされたもので、その目的とするところは、金属触媒を担持した担体または該担体を金属製の筒に内装した触媒コンバータからなる触媒コンバータを衝撃破壊して該触媒コンバータから金属触媒を含む粉体を分離させることによって、効率的に金属触媒を含む粉体を回収できる金属触媒の破壊回収装置及びその使用方法を提供することにある。
【課題を解決するための手段】
【０００５】
請求項１記載の発明では、少なくとも金属触媒を担持した担体を金属製の筒に内装した触媒コンバータからなる被処理体を投入する容器と、前記容器内で回転し、前記触媒コンバータを自重で落下する大きさに衝撃破壊すると共に、前記触媒コンバータから金属触媒を含む粉体を分離する衝撃羽と、前記粉体を前記容器内でより高く上方へ浮遊させる浮遊手段と、前記容器内に浮遊する粉体を吸引口から吸引して回収する集塵機と、前記容器内に投入される触媒コンバータの筒に予め切欠部を形成する切欠手段を備えることを特徴とする。
【０００６】
請求項２記載の発明では、少なくとも金属触媒を担持した担体を金属製の筒に内装した触媒コンバータを投入する容器と、前記容器内で回転し、前記触媒コンバータを自重で落下する大きさに衝撃破壊すると共に、前記触媒コンバータから金属触媒を含む粉体を分離する衝撃羽と、前記粉体を前記容器内でより高く上方へ浮遊させる浮遊手段と、前記容器内に浮遊する粉体を吸引口から吸引して回収する集塵機を備えた金属触媒の破壊回収装置の使用方法であって、前記触媒コンバータの筒は容器に投入される前に予め切欠部が形成されることを特徴とする。
【発明の効果】
【０００７】
請求項１記載の発明にあっては、衝撃羽が触媒コンバータを自重で落下する大きさに衝撃破壊して触媒コンバータから金属触媒を含む粉体を分離させる。
そして、浮遊手段によって前記分離された粉体が容器内でより高く浮遊し、この浮遊する粉体を集塵機で吸引口から吸引して回収する。
従って、浮遊手段により容器内でより高く浮遊した金属触媒を含む粉体を回収するため、従来のように回収された粉砕物の中に触媒コンバータや金属担体の破片が混在せず、結果、複数の分離機や強力な吸引装置を必要とせず、小規模な設備でコストや手間をかけることなく金属触媒を含む粉体を高い回収率で回収することができる。
【０００８】
さらに、前記容器内に投入される触媒コンバータの筒に予め切欠部を形成する切欠手段を備えることとしたため、衝撃破壊によって触媒コンバータが圧壊され易くなり、触媒コンバータをより短時間で効率良く衝撃破壊することができる。
また、圧壊した筒の破壊片は容器内で他の触媒コンバータや触媒担体と衝突して前記衝撃破壊を促すように作用する。
【発明を実施するための最良の形態】
【０００９】
以下、図面に基づいて本発明の実施例を説明する。
【実施例１】
【００１０】
以下、本発明の実施例１を説明する。
図１は本発明の実施例１の破壊回収装置の全体図、図２は実施例１の破壊分離機の内部を説明する平面図、図３は図２のＳ３−Ｓ３線による側断面図、図４は実施例１のフィルタ部材の分解斜視図である。
図５は実施例１のフィルタ部材の装着を示す平面図、図６は実施例１の衝撃羽の側断面図、図７は実施例１のふるい機の動作を説明する図、図８は触媒コンバータの切欠部の形成前（ａ）と形成後（ｂ）を示す図である。
【００１１】
図１に示すように、本実施例１の金属触媒の破壊回収装置は、破壊分離機１と、集塵機２と、コンベア３と、ふるい機４と、切欠手段１４を主要な構成としている。
【００１２】
図２、３に示すように、前記破壊分離機１の容器１ａは円柱形状に形成され、基台５によって傾斜した状態で設置されている。
前記容器１ａの上面には半円形状に開口された投入口１ｂと、矢印Ｐ方向に開閉自在な蓋１ｃとが設けられている。
また、前記蓋１ｃには外部と通じた大気開放口１１が設けられている。
前記容器１ａの内壁１ｄは耐磨耗鋼を用いて形成され、上部には後述する集塵機２の吸引ダクト２ａに接続された第１吸引口１ｅが設けられている。
【００１３】
また、前記第１吸引口１ｅには後述するフィルタ部材２０が装着されている。
図４、５に示すように、前記フィルタ部材２０は容器１ａの内壁１ｄに沿う形状に形成され、且つ、前記第１吸引口１ｅに対応する開口部２１を有する外周部２２と、複数の吸引孔２３を有する吸引部２４〜２６で構成され、該内壁１ｄに図外のボルトで４箇所で固定される。
【００１４】
また、前記吸引部２４、２５は外周部２２と溶接により一体的に形成され、前記吸引部２６は外周部２２に図外のボルトにより６箇所で脱着可能となっており、フィルタ部材２０及びその内部のメンテナンス性に優れた構造になっている。
【００１５】
また、前記吸引部２４〜２６の各吸引孔２３の開口面積の総和は少なくとも前記開口部２１の開口面積よりも大きくなっており、後述する金属触媒を含む粉体３０（以下、粉体３０と略す）の吸引性能が低下しないようになっている。
【００１６】
前記内壁１ｄの下部には開口部１ｆが設けられ、この開口部１ｆは矢印Ｑ方向に開閉自在な蓋１ｇで排出口１２に通じている。
前記排出口１２は後述する衝撃破壊後の被処理体６を容器１ａから取り出すためのものであって、前記開口部１ｆを覆うように固定されたフードＦで構成されると共に、該フードＦには集塵機２の吸引ダクト２ａに接続された第２吸引口１３が設けられている。
【００１７】
さらに、前記内壁１ｄには容器１ａの周方向に等間隔で耐磨耗鋼製の反射体１ｈが８箇所設けられている。
【００１８】
前記容器１ａの底部には容器１ａの周方向（図２中矢印Ｃ方向）に回転自在な回転ロータ１ｉが設けられている。
【００１９】
図６に示すように、前記回転ロータ１ｉはカバー１ｊと、押圧プレート１ｋと、衝撃羽取付けプレート１ｌと回転軸１ｍを主要な構成としている。
【００２０】
前記カバー１ｊは円柱状を成して容器１ａの中心位置に配置され、その下方周縁が溶接Ｘで押圧プレート１ｋに固定されている。
【００２１】
前記押圧プレート１ｋは円盤状を成してボルトＢ１で衝撃羽取付けプレート１ｌに固定されている。
【００２２】
前記衝撃羽取付けプレート１ｌの両端にはボルトＢ２で脱着自在に固定される２つの衝撃羽１ｎが回転ロータ１ｉから側方に突出した状態で設けられ（図２参照）、これら衝撃羽１ｎの先端側は傾斜面１ｏが形成され、一方、衝撃羽１ｎの基端側には反射体１ｐが設けられている。
なお、前述した押圧プレート１ｋ、衝撃羽１ｎ、反射体１ｐは内壁１ｄと同様に耐磨耗鋼で形成されている。
【００２３】
前記衝撃羽取付けプレート１ｌは底面プレート１ｑと僅かな隙間を有した状態でボルトＢ３で容器１ａの底部を貫通した回転軸１ｍに固定されている。
【００２４】
前記回転軸１ｍにはその軸心位置に空気流通路１ｒが形成され、この空気流通路１ｒの上側は二方向に分岐されて衝撃羽取付けプレート１ｌの連通溝１ｓと連通している。
【００２５】
前記衝撃羽１ｎの底部には前記連通溝１ｓと連通した連通パイプ１ｔが固定され、この連通パイプ１ｔが衝撃羽１ｎの底部を介して容器１ａ内と通じた状態となっている。
一方、前記空気流通路１ｒの下側は回転軸１ｍに固定される回転ローラ１ｕの軸心を貫通してエアチューブ１ｖが接続されたアダプタ１ｗに連通されている。
【００２６】
また、前記回転ローラ１ｕに架けられたベルト１ｘはモータ１ｙの回転軸に固定される回転ローラ１ｚに周設されている。なお、１０は回転軸１ｍを回転自在に固定する外嵌部材である。
【００２７】
これにより、前記モータ１ｙの回転ローラ１ｚが回転してその回転力がベルト１ｘを介して回転ロータ１ｕに伝達し、結果、回転ロータ１ｉ（衝撃羽１ｎ）が所定回転速度で回転するようになっている。
【００２８】
前記集塵機２は吸引ダクト２ａを介して後述する破壊分離機１の容器１ａ内で浮遊する粉体３０を吸引するためのものであって、フィルタ２ｂと貯溜容器２ｃを備えている。
【００２９】
前記コンベア３は後述する破壊分離機１で衝撃破壊された被処理体６をふるい機４に搬送するためのものである。
【００３０】
図７（ａ）に示すように、前記ふるい機４はコンベア３によって搬送された被処理体６を加振して被処理体６の内部に残留する粉体３０を回収するためのものであって、基台４ａと、この基台４ａに枢軸４ｂを軸として矢印Ｒ方向に回動自在に固定される容器４ｃと、貯溜容器４ｒを主要な構成としている。
【００３１】
前記容器４ｃは側方下部に突設した舌片４ｄが設けられると共に、この舌片４ｄの下方には進出部材４ｅを有する駆動装置４ｆが設けられている。
【００３２】
前記駆動装置４ｆは図示しないモータ又はソレノイドを用いて前記進出部材４ｅを上下方向に進出させることによって、前記舌片４ｄを上下動させ、結果、容器４ｃを矢印Ｒ方向に衝撃的な運動を与えて後述する容器４ｃ内の触媒コンバータを揺動させるためのものである（図７（ｂ）参照）。
【００３３】
前記容器４ｃ内は上下のフィルタ４ｇ，４ｈによって２つの部屋４ｉ，４ｊが形成され、前記フィルタ４ｇの隙間はフィルタ４ｈよりも広く形成されている。
【００３４】
前記容器４ｃの内壁４ｋには前記吸引ダクト２ａに接続された吸引口４ｌが設けられると共に、この吸引口４ｌにはフィルタ４ｍが設けられている。
【００３５】
前記容器４ｃの底部は前記フィルタ４ｇ，４ｈよりも隙間が狭いフィルタ４ｘを備える縮径部４ｐが形成されて、その縮径部４ｐの下方には貯留容器４ｒが設けられている。
【００３６】
前記切欠手段１４は、触媒コンバータ７ｂの筒７ｃに後述する切欠部１５を形成するためのものであって、触媒コンバータ７ｂがコンベア１６で破壊分離機１まで運ばれる間に切欠手段１４を通過すると、例えば、図８（ａ）に示すような円柱形状の触媒コンバータ７ｂの筒７ｃに対して、図８（ｂ）に示すように筒７ｃを長手方向に切断するような切欠部１５が形成されるようになっている。
【００３７】
前記切欠手段１４の内部には図外の切断用回転刃と固定ガイドが設けられ、触媒コンバータ７ｂが切断用回転刃に対して所定位置となるように固定ガイドで固定された状態で搬送されることにより、筒７ｃが切断用回転刃で切断されて切欠部１５が形成されるように構成されている。
【００３８】
なお、この切欠部１５を形成する装置・方法としては一般的な手動の切断用工具を用いても良い。
また、前記切欠部１５を形成する際に、金属担体７ａの一部が筒７ｃと共に切断される場合も有り得る。
【００３９】
以下、本実施例１の金属触媒の破壊回収装置及びその使用方法の作用及び効果を説明する。
本実施例１の金属触媒の破壊回収装置を使用する際には、先ず、金属担体７ａと触媒コンバータ７ｂを所定量、例えば総量１０ｋｇを用意し、両者を容器１ａに投入して蓋１ｃを閉める。
この際、触媒コンバータ７ｂの筒７ｃには予め切欠手段１４で切欠部１５を形成しておく。
なお、前記金属担体７ａは、大波または小波状の金属製の箔材を多重に巻回して白金系の触媒を担持させた一般的な金属担体である。
【００４０】
次に、破壊分離機１、集塵機２を作動させる。
この際、破壊分離機１では、モータ１ｙの回転ローラ１ｚが回転してその回転力がベルト１ｘを介して回転ロータ１ｕに伝達し、結果、回転ロータ１ｉが所定回転速度、例えば１５００ｒｐｍ程度で回転する。
【００４１】
また、エアチューブ１ｖから所定圧力の空気が供給され、この空気はアダプタ１ｗ、空気流通路１ｒを介して該空気流通路１ｒの上方で二方向に分岐し、さらに連通溝１ｓ、連通パイプ１ｔを介して衝撃羽１ｎの底部から容器１ａの内壁１ｄへ向かって噴射し、結果、容器１ａ内で上方へ向かう空気流Ａとなる（図６参照）。
【００４２】
そして、前記回転ロータ１ｉの衝撃羽１ｎが被処理体６を飛散させながら内壁１ｄに衝突させて衝撃破壊し、結果、これら被処理体６から粉体３０が分離して容器１ａ内に浮遊する。
この際、衝撃羽１ｎの反射体１ｐや内壁１ｄの反射体１ｈは被処理体６に衝突して該被処理体６を効率良く衝撃破壊すると共に、前記粉体３０をより上方へ浮遊させる浮遊手段として作用する。
【００４３】
ここで、前記触媒コンバータ７ｂの筒７ｃは厚さ１ｍｍ〜２ｍｍのステンレス材等の金属製であり、強度にも優れるため前記衝撃破壊によっても良好に衝撃破壊できないという問題が生じる。
【００４４】
なお、このような場合、前記衝撃破壊の処理時間が余計に掛かってしまう上、被処理体６における安定した衝撃破壊の再現性が困難となり、特に金属担体７ａの箔材の破壊状態が均質化せず、所望の粉体３０が得られない。
【００４５】
しかしながら、本実施例の金属触媒の破壊回収装置では、前述したように、前記容器１ａ内に投入される触媒コンバータ７ｂの筒７ｃに切欠手段１４で予め切欠部１５が形成されているため、触媒コンバータ７ｂが圧壊され易くなり、結果、触媒コンバータ７ｂを短時間で効率良く衝撃破壊することができる。
また、圧壊した筒７ｃの破壊片は容器１ａ内で他の触媒コンバータ７ｂや触媒担体７ａと衝突して前記衝撃破壊を促進するように作用する。
【００４６】
また、衝撃羽１ｎの傾斜面１ｏにより、衝撃羽１ｎと内壁１ｄとの間に被処理体６が挟まらないよう配慮されている。
さらに、容器１ａは傾斜した状態で設置されているため、被処理体６は重力に従って下方に移動して衝撃羽１ｎや反射体１ｈ，１ｐに攪拌されながら効率良く破壊され、結果、粉体３０を上方へ導く浮遊手段として作用する。
【００４７】
そして、前記空気流Ａは粉体３０を容器１ａ内で上方へ浮遊させ、結果、粉体３０を容器１ａ内でより上方へ浮遊させる浮遊手段として作用する。
一方、集塵機２は吸気ダクト２ａを介して第１吸引口１ｅから前記粉体３０を吸引した後、フィルタ２ｂを介して貯溜容器２ｃに貯溜する。
【００４８】
さらに、前述したように、前記第１吸引口１ｅにはフィルタ部材２０が設けられており、前記粉体３０は吸引部２４〜２６の３方向から吸引されるため、被処理体６の破壊片、例えば触媒コンバータの筒等の剥離片が吸引されて吸引部２４〜２６のうちいずれか１つに貼り付いた場合でも、該粉体３０の吸引が可能となっている。
【００４９】
次に、所定時間が経過した後、衝撃羽１ｎの回転速度を３００ｒｐｍ程度まで減速させると、衝撃破壊された被処理体６は全て容器１ａ内の底部に移動して該被処理体６と粉体３０の分離が促進され、結果、粉体３０が容器１ａ内でより高く上方へ浮遊して集塵機２により効率的に回収される。
【００５０】
次に、前記衝撃羽１ｎの回転を減速させてから一定時間が経過した後、衝撃羽１ｎの回転を停止させた状態で容器１ａの蓋１ｇを開けて衝撃破壊後の被処理体６を排出口１２からコンベア３上に取り出す。
この際、フードＦ内に浮遊する僅かな粉体３０を排出口１２の第２吸引口１３から集塵機２へ回収できるようになっている。
【００５１】
次に、前記コンベア３及びふるい機４を始動させる。
この際、コンベア３が前記被処理体６をふるい機４の容器４ｃ内へ投入すると共に、該ふるい機４が矢印Ｒ方向に揺動して被処理体６を加振し、フィルタ４ｇ，４ｈ、４ｘを介して被処理体６に残留する粉体３０を下方の貯溜容器４ｒに貯留する。
【００５２】
また、前記被処理体６はフィルタ４ｇ，４ｈにより大きさに応じて部屋４ｉ，４ｊで選別され、さらにフィルタ４ｘでふるいにかけられることにより、被処理体６の破片などが貯溜容器４ａに貯留されるのを防止できるようになっている。
また、前記ふるい機４内で浮遊した粉体３０は吸引ダクト２ａを介して吸引口４ｌより集塵機２に回収されるようになっており、微量な粉体３０であっても回収できるようになっている。
【００５３】
従って、本実施例１の金属触媒の破壊回収装置及びその使用方法では、回収容器１ａ、衝撃羽１ｎ、反射体１ｈ，１ｐ、空気流Ａが金属触媒を含む粉体３０を容器１ａ内でより上方へ浮遊させる浮遊手段として作用し、粉体３０を容易かつ短時間で回収することができるという効果を奏する。
【００５４】
また、衝撃破壊後に衝撃羽１ｎの回転速度を減速させて被処理体６と粉体３０の分離を促進させたり、容器１ａ内の上方に大気開放口１１から第１吸引口１ｅへ流入する空気流Ｂを形成することで、粉体３０を短時間で効率良く回収できる。
【００５５】
さらに、前記容器１ａ内に投入される触媒コンバータ７ｂの筒７ｃに予め切欠部１５を形成する切欠手段１４を備えることとしたため、容器１ａへの投入前に触媒コンバータ７ｂの筒７ｃに切欠部１５を形成しておくことで、被処理体６をより短時間で効率良く衝撃破壊することができる。
【００５６】
また、衝撃破壊後の被処理体６を容器１ａから取り出す排出口１２に集塵機２の第２吸引口１３を設けたり、該被処理体６をふるい機４でふるいにかけることで、衝撃破壊前の被処理体６に含まれていた粉体３０を略完全に回収することができる。
【実施例２】
【００５７】
以下、本発明の実施例２を説明する。
図９は本発明の実施例２の金属触媒の破壊回収装置の全体図、図１０は実施例２の破壊分離機の内部を説明する側断面図、図１１は実施例２のフィルタ部材の分解斜視図である。
図１２は実施例２のフィルタ部材の斜視図、図１３は実施例２の破壊分離機の内部の様子を説明する図、図１４は実施例２の破壊分離機の作用を説明する図である。
【００５８】
なお、本実施例２の金属触媒の破壊回収装置は、前記実施例１で説明したふるい機を省略して、破壊分離機の構成を一部変更したこと以外は前記実施例１と略同様であるため相違点のみについて詳述し、同一の構成部材については同一の符号を付してその説明は省略する。
【００５９】
図９に示すように、本実施例２の金属触媒の破壊回収装置は、破壊分離機１と、集塵機２を主要な構成としている。
【００６０】
図１０に示すように、本実施例の破壊分離機１は、前記実施例１で説明した第１吸引口１ｅの代わりに容器１ａの上方中心部に第１吸引口１９が設けられ、ここに吸引ダクト２ａに接続されたフィルタ部材４１が装着されている。また、蓋１ｃの大気開放口は省略されている。
【００６１】
図１１、１２に示すように、前記フィルタ部材４１は全体が円柱形状に形成され、円盤状の後面部４１ａと有底円筒状の本体部４１ｂとが溶接されて一体的に形成され、該フィルタ部材４１は前記後面部４１ａに設けられた４箇所の取付孔４１ｃで図外のボルトで容器１ａの上部中心位置に固定される。
また、後面部４１ａは前記第１吸引口１９と同一の開口面積を有する開口部４３が形成されている。
また、前記本体部４１ｂの外周面には複数の吸引孔４２が設けられ、該吸引孔４２の開口面積の総和は少なくとも前記第１吸引口１９の開口面積よりも大きくなっており、粉体３０の吸引性能が低下しないようになっている。
【００６２】
前記内壁１ｄには長孔形状に開口された送風口４４が設けられ、該送風口４４は下方に傾斜した状態で内壁１ｄの周方向に沿うように設けられた接続パイプ４５が接続されている。
なお、図示を省略するが接続パイプ４５は送風機に接続される他、該送風口４４には逆流防止のフラップやフィルタが設けられている。
【００６３】
以下、本実施例２の金属触媒の破壊回収装置の作用及び効果を説明する。
本実施例２の金属触媒の破壊回収装置において破壊分離機１を作動させると、図１３に示すように、衝撃羽１ｎが回転すると共に、エアチューブ１ｖから供給された空気が、容器１ａの内壁１ｄへ向かって噴射し、結果、容器１ａ内で上方へ向かう空気流Ａが発生する。
【００６４】
さらに、前記送風口４４から空気が送風されることにより容器１ａ内に内壁１ｄに沿って下方に降りる渦流Ｙが発生する。
【００６５】
このような状況下で被処理体６が衝撃破壊されると、図１４に示すように、容器１ａ内では、衝撃羽１ｎの回転力も加わって塵や破壊片等の比較的大きな固体粒子と粉体３０との混相流による強制渦が発生する。
【００６６】
そして、粉体３０に比べて自重の重い塵や破壊片は強制渦の遠心力と重力で内壁１ｄの下方に集まり易くなり、フィルタ部材４１の吸引孔４２を介して第１吸引口１９から粉体３０のみを非常に効率良く回収できる。
【００６７】
なお、渦流を発生させるような回転体を容器１ａ内に設ける構成にした場合、内壁１ｄの近傍では流体の微小部分の不規則な運動が制限されるため、内壁１ｄに集まった破壊片は渦流の影響をあまり受けず、該破壊片の中に残る粉体３０は分離しない。
しかしながら、本実施例２では内壁１ｄの送風口４４からの送風によって渦流Ｙを形成するため、ランキン渦のように内壁１ｄに集まった破壊片も連続的に渦流Ｙの影響を受け、結果、破壊片の中に残る粉体３０が分離して浮遊する。
また、前記渦流Ｙと空気流Ａによって乱流が生じ、容器１ａ内で衝撃破壊中の被処理体６が攪拌し易くなる。
【００６８】
また、前記実施例１で説明したように、前記容器１ａ内に投入される触媒コンバータ７ｂの筒７ｃに予め切欠部１５を形成する切欠手段１４を備えることとしたため、容器１ａ内で触媒コンバータ７ｂが圧壊され易くなり、結果、被処理体６をより短時間で効率良く衝撃破壊することができる。
【００６９】
また、圧壊した筒７ｃの破壊片は容器１ａ内で他の触媒コンバータ７ｂや触媒担体７ａと衝突して前記衝撃破壊を促進するように作用する。
【００７０】
また、衝撃破壊後の被処理体６に粉体３０が残らないため、衝撃破壊前の被処理体６に含まれていた粉体３０を略全て回収することができ、ふるい機を省略することができる。
【００７１】
なお、衝撃破壊機１、集塵機２のその他の作動については前記実施例１と同様であるため、その説明は省略する。
【００７２】
また、本実施例２で説明した渦流Ｙの回転方向は衝撃羽１ｎの回転方向を考慮に入れて適宜設定することができる。
【００７３】
以上、本発明の実施例を説明してきたが、本発明の具体的構成は本実施例に限定されるものではなく、発明の要旨を逸脱しない範囲の設計変更などがあっても本発明に含まれる。
【００７４】
例えば、本実施例では、切欠部１５を触媒コンバータ７ｂの筒７ｃに対して長手方向に切断するように形成した場合について説明したが、切欠部１５の形成位置、形成数、形状については適宜設定できる。
【００７５】
また、切欠手段１４は切欠部１５が形成できるものであれば、電動・手動に関わらず様々な装置・工具を用いることができるし、その設置位置は適宜設定でき、例えば容器１ａの蓋１ｃに近接して設けることで、切欠部１５を形成しながら触媒コンバータ７ｂを容器１ａに投入できる。
【００７６】
また、必ずしも容器１ａ内に投入する全ての触媒コンバータ７ｂに切欠部１５を形成する必要はなく、切欠部１５から分断した筒７ｃは他の触媒コンバータ７ｂの筒７ｃや触媒担体７ａを衝撃破壊するため、同様の効果が得られる。
【００７７】
なお、衝撃破壊中に触媒コンバータ７ｂの筒７ｃに対して切欠部１５を形成するような刃を有するものを予め触媒コンバータ７ｂと共に容器１ａ内に投入することが考えられるが、この場合、切欠部１５の形成の安定した再現性が乏しい上、不要な破壊片が増えるためあまり好ましくない。
【００７８】
また、衝撃羽１ｎの形状、設置数については適宜設定できる。
【００７９】
また、破壊分離機１、集塵機２、ふるい機４において金属触媒を含む粉体３０が通過する個所に様々な種類のフィルタを設けても良い。
【００８０】
また、被処理体６を構成する触媒コンバータ７ｂの外筒７ｃが鋳物製であったり、肉厚である場合には、被処理体６の衝撃破壊前において衝撃羽１ｎを衝撃破壊中に比べて低い回転数で回転させることにより、外筒７ｃをある程度破壊してその内部の金属担体７ａを外筒７ｃから分離し易くしても良い。
【００８１】
さらに、本発明の金属触媒の破壊回収装置は、クロム系ステンレス製の自動車用触媒、ニッケル系ステンレス製の化学プラント用触媒、セラミックス触媒等、金属触媒を金属製の担体または非金属製の担体に担持した様々な触媒に適用でき、その種類に応じて反射体１ｈ、１ｐの設置の有無や設置数を適宜選択することは当然考えられる。
【図面の簡単な説明】
【００８２】
【図１】本発明の実施例１の破壊回収装置の全体図である。
【図２】実施例１の破壊分離機の内部を説明する平面図である。
【図３】図２のＳ３−Ｓ３線による側断面図である。
【図４】実施例１のフィルタ部材の分解斜視図である。
【図５】実施例１のフィルタ部材の装着を示す平面図である。
【図６】実施例１の衝撃羽の側断面図である。
【図７】実施例１のふるい機の動作を説明する図である。
【図８】触媒コンバータの切欠部の形成前（ａ）と形成後（ｂ）を示す図である。
【図９】本発明の実施例２の金属触媒の破壊回収装置の全体図である。
【図１０】実施例２の破壊分離機の内部を説明する側断面図である。
【図１１】実施例２のフィルタ部材の分解斜視図である。
【図１２】実施例２のフィルタ部材の斜視図である。
【図１３】実施例２の破壊分離機の内部の様子を説明する図である。
【図１４】実施例２の破壊分離機の作用を説明する図である。
【符号の説明】
【００８３】
Ａ  空気流
Ｆ  フード
１  破壊分離機
１ａ、４ｃ  容器
１ｂ  投入口
１ｃ、１ｇ  蓋
１ｄ、４ｋ  内壁
１ｅ、１９  第１吸引口
１ｆ  開口部
１ｈ、１ｐ  反射体
１ｉ  回転ロータ
１ｊ  カバー
１ｋ  押圧プレート
１ｌ  衝撃羽取付けプレート
１ｍ  回転軸
１ｎ  衝撃羽
１ｏ  傾斜面
１ｑ  底面プレート
１ｒ  空気流Ａ通路
１ｓ  連通溝
１ｔ  連通パイプ
１ｕ、１ｚ  回転ローラ
１ｖ  エアチューブ
１ｗ  アダプタ
１ｘ  ベルト
１ｙ  モータ
２  集塵機
２ａ  吸引ダクト
２ｂ、４ｇ、４ｈ、４ｊ  フィルタ
２ｃ、４ｒ  貯溜容器
３、１６  コンベア
４  ふるい機
４ｂ  枢軸
４ｅ  進出部材
４ｆ  駆動装置
４ｉ、４ｊ  部屋
４ｌ  吸引口
４ｐ  縮径部
５、４ａ  基台
６  触媒コンバータ
７ａ  金属担体
７ｂ  触媒コンバータ
７ｃ  筒
１０  外嵌部材
１１  大気開放口
１２  排出口
１３  第２吸引口
１４  切欠手段
１５  切欠部
２０、４１  フィルタ部材
２１  開口部
２２  外周部
２３  吸引孔
２４、２５、２６  吸引部
３０  （金属触媒を含む）粉体
４１ａ  後面部４１ａ
４１ｂ  本体部
４１ｃ  取付孔
４２  吸引孔
４３  開口部
【図１】
2006007037.tif 000003
【図２】
2006007037.tif 000004
【図３】
2006007037.tif 000005
【図４】
2006007037.tif 000006
【図５】
2006007037.tif 000007
【図６】
2006007037.tif 000008
【図７】
2006007037.tif 000009
【図８】
2006007037.tif 000010
【図９】
2006007037.tif 000011
【図１０】
2006007037.tif 000012
【図１１】
2006007037.tif 000013
【図１２】
2006007037.tif 000014
【図１３】
2006007037.tif 000015
【図１４】
2006007037.tif 000016